(57)【要約】【課題】  検査対象の良否を高速に検査できる検査装置および検査方法を提供する。【解決手段】  検査対象である液晶パネル（ガラス基板）１０の上部にセンサ１を固定して、その検査対象１０をエアフローにより浮上させて非接触検査を行う際,測長部４によるレーザ測長によりセンサ１と液晶パネル１０間の距離を計測し、その結果をもとにセンサ側からも、エアー噴出部１１によるエアー噴出を行ってセンサ１と液晶パネル１０間の間隔（ギャップ）を制御する。【選択図】        図３
2006242860.tif 000002
【特許請求の範囲】
【請求項１】
検査対象に検査信号を供給して、その検査対象の状態を検査する検査装置であって、
前記検査対象に対して第１の方向から気体流を発生する第１の気体流発生手段と、
前記第１の方向に対向する第２の方向から前記検査対象に対して気体流を発生する第２の気体流発生手段と、
前記検査対象より前記検査信号を検出するセンサとを備え、
前記センサは前記第１の方向からの気体流と前記第２の方向からの気体流とにより浮上した状態にある前記検査対象より非接触で前記検査信号を検出するとともに、前記検出された検出信号の変化に基づいて前記検査対象の良否を識別することを特徴とする検査装置。
【請求項２】
前記第１の方向から気体流は前記検査対象に向けて上昇する気体流であり、前記第２の方向から気体流は前記検査対象に向けて下降する気体流であることを特徴とする請求項１記載の検査装置。
【請求項３】
前記第２の気体流発生手段は前記センサ近傍の複数の領域に設けられていることを特徴とする請求項２記載の検査装置。
【請求項４】
さらに、前記センサを前記検査対象より所定距離離間させるよう前記第２の気体流発生手段による気体流の噴出を制御する制御手段を備えることを特徴とする請求項３記載の検査装置。
【請求項５】
前記制御手段は前記センサと前記検査対象間の距離に応じて、前記第２の気体流発生手段を個別に選択して前記気体流の噴出を行うことを特徴とする請求項４記載の検査装置。
【請求項６】
前記制御手段は前記検査対象への入射レーザ光と反射レーザ光の干渉位相差をもとに前記センサと前記検査対象間の距離を測長し、その測長結果をもとに前記第２の気体流発生手段による気体流の噴出制御を行うことを特徴とする請求項５記載の検査装置。
【請求項７】
前記気体流には少なくとも空気、窒素、その他の不活性気体による気体流が含まれることを特徴とする請求項１乃至６のいずれかに記載の検査装置。
【請求項８】
前記センサは、前記検査対象に対向する部分が突出し、その突出部分にセンサ電極を配した構成を有し、前記センサ電極と前記検査対象間の容量結合を介して非接触で前記検査対象より前記検査信号を検出することを特徴とする請求項１記載の検査装置。
【請求項９】
さらに、前記センサ電極と前記検査対象の近接状態を維持したまま前記検査対象を順次走査するよう前記検査対象を位置決め移動させる位置決め移動手段を備えることを特徴とする請求項１乃至８のいずれかに記載の検査装置。
【請求項１０】
検査対象に検査信号を供給して、その検査対象の状態をセンサにより検査する検査方法であって、
前記検査対象の第１の方向から気体流を発生するとともに前記第１の方向に対向する第２の方向からも前記検査対象に向けて気体流を噴出し、前記検査対象を浮上させた状態で前記センサによって前記検査対象より非接触で前記検査信号を検出し、その検出信号の変化に基づいて前記検査対象の良否を識別することを特徴とする検査方法。
【請求項１１】
前記センサを前記検査対象より所定距離離間させるよう前記第２の方向からの気体流の噴出を制御することを特徴とする請求項１０記載の検査方法。
【請求項１２】
前記第２の方向からの気体流は前記センサ近傍の複数の領域より噴出し、前記センサと前記検査対象間の距離に応じて前記第２の方向からの気体流を個別に選択することを特徴とする請求項１１記載の検査方法。
【発明の詳細な説明】
【技術分野】
【０００１】
本発明は、例えば、液晶パネル、液晶ディスプレイに形成された画素電極の良否を検査する検査装置および検査方法に関するものである。
【背景技術】
【０００２】
テレビ受像機、パーソナルコンピュータ等のディスプレイの薄型化や大型化の要求に伴ない、高画素数の液晶表示パネルが開発され、それを採用した製品が市場に出回っている。このような薄型かつ大型の表示装置を採用した製品では、製品組立て後の動作試験はもとより、ディスプレイ単体における画素電極の欠陥の有無を判定するための検査が重要である。
【０００３】
画素電極や導電パターン等の検査方法として、いわゆるピンコンタクト方式ではプローブを使用することから検査精度が向上しないため、検査対象である導体パターンとセンサ間の容量結合を介して、非接触状態で検査対象に検査信号を供給し、その信号を非接触状態で検査対象より検出して導通検査を行う方式が、従来より使用されている。このような非接触状態を維持するため、例えば、特許文献１に開示された液晶ディスプレイ基板の検査装置では、ガラス基板検査装置においてエアー浮上を利用している。また、特許文献２には、エアーフローにより検査対象基板をセンサ位置まで移動させるプリント配線板の検査装置が開示されている。
【０００４】
一方、特許文献３に記載の浮上装置は、平面状対象物を空気の圧力で安定に浮上させ、圧縮空気消費量を少なくしたものである。そのため、供給される圧縮空気と装置近辺の大気中の空気とを混合する空気混合手段を備え、大気中の空気を混合することによって圧縮空気を減圧すると同時に空気流量を増量し対象物に噴射して浮上させる構成としている。
【０００５】
【特許文献１】特開平１１−１４２８０２号公報
【特許文献２】特開２００２−１８１８７５号公報
【特許文献３】特開２００４−２６２６０８号公報
【発明の開示】
【発明が解決しようとする課題】
【０００６】
非接触方式を採用した検査では、液晶ディスプレイの画素電極等にセンサを近接させるため、検査対象である画素電極等が配されたガラス製基板をステージ上に固定し、センサヘッドを空気浮上等させることで、検査対象とセンサヘッド間のギャップを一定に維持する必要がある。すなわち、非接触方式では、検出信号のわずかなレベル差をもとに検査対象の良否判定を行う必要があるが、上述した従来の装置や方法では、検査対象とセンサヘッドを十分に近接できないだけでなく、検査対象とセンサヘッド間のギャップ制御も不可能であるという問題がある。
【０００７】
特に特許文献１に記載の検査装置は、検査対象基板とステージとの摩擦抵抗低減のためにエアーを使用しており、また、特許文献３に記載の装置では、基板下部への空気噴射により基板をエアーで浮上させる際、圧縮空気と大気中の空気を混合噴射することによって圧縮空気の節約を図っている。いずれの装置もセンサと検査対象間のギャップ制御を行っていない。
【０００８】
従って、上記従来の空気浮上方法では、センサ毎にｚ軸方向（検査対象に対して鉛直方向）の調整が必要となり、ギャップ維持のための機構が複雑になるという問題がある。また、センサヘッドの慣性質量が比較的大きいため、高速スキャンを行った場合、それに追従できずに停止状態（クラッシュ）に陥る可能性もある。さらには、使用現場での調整作業が煩雑になり、センサの着脱も困難であるという問題がある。
【０００９】
本発明は、上述した課題に鑑みてなされたもので、その目的とするところは、パネル上の画素電極の良否を高精度かつ高速に検出できる検査装置および検査方法を提供することである。すなわち、高速スキャンに追従できる検査装置および検査方法を提供することである。
【課題を解決するための手段】
【００１０】
かかる目的を達成し、上述した課題を解決する一手段として、例えば、以下の構成を備える。すなわち、本発明は、検査対象に検査信号を供給して、その検査対象の状態を検査する検査装置であって、上記検査対象に対して第１の方向から気体流を発生する第１の気体流発生手段と、上記第１の方向に対向する第２の方向から上記検査対象に対して気体流を発生する第２の気体流発生手段と、上記検査対象より上記検査信号を検出するセンサとを備え、上記センサは上記第１の方向からの気体流と上記第２の方向からの気体流とにより浮上した状態にある上記検査対象より非接触で上記検査信号を検出するとともに、上記検出された検出信号の変化に基づいて上記検査対象の良否を識別することを特徴とする。
【００１１】
例えば、上記第１の方向から気体流は上記検査対象に向けて上昇する気体流であり、上記第２の方向から気体流は上記検査対象に向けて下降する気体流であることを特徴とする。また、例えば、上記第２の気体流発生手段は上記センサ近傍の複数の領域に設けられていることを特徴とする。
【００１２】
例えば、上記センサを上記検査対象より所定距離離間させるよう上記第２の気体流発生手段による気体流の噴出を制御する制御手段をさらに備えることを特徴とする。また、例えば、上記制御手段は上記センサと上記検査対象間の距離に応じて、上記第２の気体流発生手段を個別に選択して上記気体流の噴出を行うことを特徴とする。
【００１３】
例えば、上記制御手段は上記検査対象への入射レーザ光と反射レーザ光の干渉位相差をもとに上記センサと上記検査対象間の距離を測長し、その測長結果をもとに上記第２の気体流発生手段による気体流の噴出制御を行うことを特徴とする。
【００１４】
例えば、上記気体流には少なくとも空気、窒素、その他の不活性気体による気体流が含まれることを特徴とする。
【００１５】
例えば、上記センサは、上記検査対象に対向する部分が突出し、その突出部分にセンサ電極を配した構成を有し、上記センサ電極と上記検査対象間の容量結合を介して非接触で上記検査対象より上記検査信号を検出することを特徴とする。
【００１６】
例えば、上記センサ電極と上記検査対象の近接状態を維持したまま上記検査対象を順次走査するよう上記検査対象を位置決め移動させる位置決め移動手段をさらに備えることを特徴とする。
【００１７】
上述した課題を解決する他の手段として、例えば、以下の構成を備える。すなわち、本発明は、検査対象に検査信号を供給して、その検査対象の状態をセンサにより検査する検査方法であって、上記検査対象の第１の方向から気体流を発生するとともに上記第１の方向に対向する第２の方向からも上記検査対象に向けて気体流を噴出し、上記検査対象を浮上させた状態で上記センサによって上記検査対象より非接触で上記検査信号を検出し、その検出信号の変化に基づいて上記検査対象の良否を識別することを特徴とする。
【００１８】
例えば、上記センサを上記検査対象より所定距離離間させるよう上記第２の方向からの気体流の噴出を制御することを特徴とする。また、例えば、上記第２の方向からの気体流は上記センサ近傍の複数の領域より噴出し、上記センサと上記検査対象間の距離に応じて上記第２の方向からの気体流を個別に選択することを特徴とする。
【発明の効果】
【００１９】
本発明によれば、検査対象とセンサヘッド間のギャップ制御を容易かつ高精度に行うことができ、検査対象の良否を精度よく、かつ高速に検出できる。また、簡単な機構であるためセンサの着脱が容易になる。
【発明を実施するための最良の形態】
【００２０】
以下、添付図面を参照して、本発明に係る実施の形態例を詳細に説明する。図１は、本実施の形態例に係る検査装置（アレイテスタ）の全体構成を示すブロック図であり、図１（ａ）は信号処理の構成を、図１（ｂ）はエアー制御のための構成をそれぞれ示している。ここでの検査対象は、例えば、ガラス製の基板上に複数の画素電極、およびそれらを駆動するための薄膜トランジスタ（ＴＦＴ）がアレイ状（あるいは、マトリックス状）に配列された構造を有する液晶表示パネルやタッチ式パネル等である。
【００２１】
図１（ａ）に示す検査装置では、画素電極等を非接触方式で検査するために、液晶パネル１０から鉛直方向に所定距離離間した位置にライン状のセンサ１が位置決めされている。このセンサ１は、例えば、液晶パネル１０の幅と同じ幅を有するとともに、後述するセンサ回路等により非接触方式で液晶パネル１０上の画素電極の断線の有無等を判定する一次元ラインセンサである。本検査装置は、センサ１からの出力に基づいて、液晶パネル１０の画素電極等の良否を検査する。また、液晶パネル１０には、画素電圧供給部１３が接続されており、それにより個々の画素電極に画素の検査に必要な信号を供給している。
【００２２】
センサ１は、図１（ａ）に示すように規則的に配列した複数のセンサ基板５ａ，５ｂからなる。すなわち、センサ１は、センサ基板５ａ，５ｂをライン状に配し、それらを、所定の厚さを有するスペーサ３３上に一定のピッチ幅で交互に並置するとともに、全体として液晶パネル１０の検査対象部分とほぼ同じ幅を有するように構成された一次元ラインセンサであり、センサ基板５ａ，５ｂのスペーサ３３側の先端部分は、対向して配された他のセンサ基板の先端端部と列方向において互いに一部が重なり合う配列構成をとる。
【００２３】
このように各センサ基板５ａ，５ｂの先端端部が、対向するセンサ基板と一部が重なり合う構成をとることで、各センサ基板５ａ，５ｂに配されたセンサ回路３１（図２参照）が有するセンサ電極も列方向に互いに重なり合うため、液晶パネル１０の画素電極とセンサ回路との相対的な位置関係によっては、１つの画素電極に対して２つのセンサ回路（具体的にはセンサ電極３１）で同時に信号を検出できるため、その画素電極の確実な良否判定が可能となる。
【００２４】
各センサ基板５ａ，５ｂ上に配されたセンサ回路３１で検出された画素信号は信号処理部３に入力される。この信号処理部３は、例えば、増幅、多重化、波形整形、Ａ／Ｄ変換等の処理を行う。そして、制御部６は、信号処理部３で処理された信号レベルと、あらかじめ設定した基準値とを比較し、それが基準の範囲内か否かを判定する。判定結果は、表示部９へ送られる。
【００２５】
さらにセンサ１は、図１（ｂ）に示すように検査対象である液晶パネル１０に向けてレーザ光１８ａ（例えば、パルスレーザ）を出力するため、レーザダイオード等からなる出力部１８と、その液晶パネル１０に当たって反射し、再び戻ってくるレーザ光１９ａ（反射ビーム）を受光する受光部１９（例えば、光電子倍増管）とからなるレーザ入出力部２を有する。また、これら出力レーザ光１８ａと反射レーザ光１９ａをもとに、検査対象（液晶パネル１０）までの距離を計測する測長部４と、後述するように測長部４より測長結果を受けるエアー制御部１２と、エアー制御部１２からの制御に従って、センサ１より検査対象へ向けて空気（下降気流）を噴出するエアー噴出部１１とを有する。
【００２６】
なお、以下の説明では、検査対象に向けて噴出される気体は空気を例として説明しているが、これに限定されるものではなく、例えば、窒素、その他の不活性気体による気体流としてもよい。
【００２７】
制御部６は、本検査装置全体の制御を行うため、例えば、マイクロプロセッサで構成され、所定の検査シーケンスを統括的に制御する。制御部６は、ＲＯＭ７やＲＡＭ８を有し、ＲＯＭ７には、検査手順を含む制御手順等が、例えば、コンピュータプログラムとして格納され、ＲＡＭは、例えば、制御データや検査データ等を一時的に格納するための作業領域として使用される。
【００２８】
表示部９は、例えば、ＣＲＴや液晶表示器等からなり、制御部６から送られた判定結果である検査対象（液晶パネルの画素電極）の良否やセンサ１の位置情報等を、検査員が容易に理解できる形式で可視表示する。センサ１の位置に異常があればその旨を表示し、また、画素電極等に不良があれば、その電極のパネル基板上での位置も、例えば、電極番号や座標等で表示する。なお、検査結果の表示は、可視表示に限定されず、音声等の形式で出力してもよい。また、可視表示と音声を混在させてもよい。
【００２９】
駆動部１６は、制御部６からの制御信号を受けて、液晶パネル１０全体を所定方向に所定の速度で移動させる。その結果、センサ１は、非接触の状態で液晶パネル１０上のアレイ状の画素電極を順次走査する。具体的には、駆動部１６は、後述するように、下方から上方へ向かう空気流により浮上している液晶パネル１０を、μｍオーダーで所定方向へ移動する。そのため、ＸＹＺＣθ角度の４軸制御により三次元位置制御が可能に構成されており、液晶パネル１０をセンサ位置より一定距離離反させた検査前の基準となる位置に位置決めする。
【００３０】
次に、本実施の形態例に係る検査装置におけるセンサ部について説明する。図２は、図１（ａ）の二点鎖線Ａ−Ａ’に沿ってセンサ１を切断したときの断面構成を示している。センサ基板５ａ，５ｂは、その大きさが、例えば、２５０ｍｍ×１００ｍｍで所定厚ｔ２（例えば、０．５ｍｍ）のガラスで構成され、ほぼ中央部において、その断面がゆるいＳ字型に屈曲した（たわんだ）構造を有する。そして、センサ基板５ａ，５ｂの検査対象と対向する側の上面端部には、センサ電極２０を有するセンサ回路３１が配されている。なお、センサ基板５ａ，５ｂの基板材料はガラスに限定されず、例えばプラスチックや石英等で構成してもよい。
【００３１】
なお、検査対象である液晶パネル１０は、図２に示すようにガラス基板とその表面に形成された複数の画素電極１５からなり、それらの画素電極１５に近接して配されるセンサ１のセンサ電極２０は、図１に示す画素電圧供給部１３より液晶パネル１０の画素電極１５に印加された信号電位（画素電圧）を非接触方式で検出する。
【００３２】
本実施の形態例に係る検査装置では、センサ１を使用して非接触で液晶パネルの検査を行うため、センサ電極２０と液晶パネル１０上の画素電極１５との距離ｄを、例えば５０μｍ以下にする。そのため、基板２４上に設けたスペーサ３３（その厚さｔ１は、例えば、１．０ｍｍ）によって、センサ１の中央部分が基板２４よりも鉛直方向に突出した構造としている。また、センサ回路３１を構成するセンサ電極２０は、例えば、センサ基板５ａ，５ｂ上に形成されたＣＭＯＳ素子（ＭＯＳ型電界効果トランジスタ）のゲート端子（Ｇ）に連結されており、所定の面積を有する導体膜（例えば、ＩＴＯ膜等）からなる。基板２４は、例えば、アルミニウム等の金属からなる。
【００３３】
次に、本実施の形態例に係る検査装置における検査対象とセンサ間の距離制御（ギャップ制御）について説明する。図３は、検査時における検査対象とセンサとの位置制御と位置関係を説明するための図である。図３に示すように、検査対象である液晶パネル１０上部の所定位置に、その液晶パネル１０と非接触状態でセンサ１を固定配置するとともに、液晶パネル１０の下部に空気供給部５０を配置する。空気供給部５０からは、液晶パネル１０に向けて空気流（図中、上向きの矢印で示す上昇流）が発生しており、液晶パネル１０は、その空気流を受けて所定距離だけ浮上した状態となる。すなわち、この空気供給部５０には、その上面全体に渡って多数の孔（不図示）が空けられており、それらの孔より噴出する空気流は、検査対象全体に均等に吹き付けられ、その空気流による圧力で液晶パネル１０が浮上するようになっている。
【００３４】
図４は、センサにおけるレーザ入出力部やエアー噴出部の配置例を示している。なお、図４は、センサ１を液晶パネル１０側から見たときの様子である。図３および図４に示すように、センサ１の基板２４のセンサ基板５ａ，５ｂが配された側には、各センサ基板５ａ，５ｂの近傍であって基板２４の端部に一定間隔でレーザ入出力部２ａ〜２ｚとエアー噴出部１１ａ〜１１ｚが配されている。各レーザ入出力部２ａ〜２ｚは、検査実行中、その出力部１８（図１(ｂ)参照）より液晶パネル１０に向けてレーザ光を出力し、その反射レーザ光を受光部１９で受ける。そして、測長部４は、液晶パネル１０への入射レーザ光と反射レーザ光の干渉位相差をもとに、センサ電極２０と液晶パネル１０上の画素電極１５間の距離ｄを測長する。
【００３５】
これらの計測結果は、距離（ギャップ）データとして測長部４よりエアー制御部１２へ送られる。エアー制御部１２は、この距離データをもとに、各センサ基板５ａ，５ｂのうち、どの基板部分において、センサ電極２０と画素電極１５間の距離ｄに異常があるか、つまり、あらかじめ決めた所定距離よりも近づき過ぎであるか、あるいは離れ過ぎであるかを判定する。そして、エアー制御部１２は、その判定結果に従って、エアー噴出部１１ａ〜１１ｚを個別に制御する。
【００３６】
すなわち、実測されたセンサ電極２０と画素電極１５間の距離（ギャップ）ｄをもとに、各エアー噴出部１１ａ〜１１ｚからの空気噴出量を調整することによって、センサ電極と液晶パネルの画素電極間の距離ｄが所定値（一定値）に維持されるようにフィードバック制御を行う。例えば、レーザ入出力部２ａ〜２ｃ近辺においてセンサ電極と画素電極間の距離ｄが所定値よりも小さくなっている場合、エアー制御部１２は、その箇所において液晶パネル１０がセンサ１に接近しすぎていると判断して、エアー噴出部１１ａ〜１１ｃから所定量の空気（下降流）を噴出する。この噴出空気による圧力を受けた液晶パネル１０は、その圧力と空気供給部５０からの空気流による圧力とが均衡する位置まで押しやられる。このような距離（ギャップ）ｄの計測と空気噴出を繰り返すことで、センサ電極と画素電極間の距離ｄが所定値になるように制御される。
【００３７】
図５は、本実施の形態例に係る検査装置における検査対象とセンサ間の距離（ギャップ）の制御手順を示すフローチャートである。図５のステップＳ１１で、測長部４は、全てのレーザ入出力部２ａ〜２ｚからの入射レーザ光と反射レーザ光の干渉位相差をもとに、センサ電極と液晶パネル上の画素電極間の距離ｄを計測する。続くステップＳ１３において、その計測値とあらかじめ決めた所定値とを対比して、センサ電極と画素電極間の距離（ギャップ）ｄが適正な範囲内にあるかどうかを判断する。
【００３８】
ステップＳ１３における判断の結果、距離（ギャップ）ｄが適正な値にあれば、ステップＳ１４で、エアー噴出部１１ａ〜１１ｚからのエアー量を現状の値に維持する。また、距離（ギャップ）ｄが小さいと判断した場合、液晶パネル１０がセンサ１に接近し過ぎているとして、ステップＳ１５において、センサ１のうち、液晶パネル１０に接近し過ぎている箇所を特定し、続くステップＳ１６で、特定した箇所に対応するエアー噴出部を選定する。そして、ステップＳ１７において、選定されたエアー噴出部からのエアー噴出量を増量する。
【００３９】
一方、距離（ギャップ）ｄが大きいと判断された場合には、液晶パネル１０がセンサ１から離れ過ぎているため、ステップＳ２５において、センサ１のうち、液晶パネル１０から離れ過ぎている箇所を特定し、ステップＳ２６で、特定した箇所に対応するエアー噴出部を選定する。そして、続くステップＳ２７において、選定されたエアー噴出部からのエアー噴出量を減量する。
【００４０】
上記の制御の結果、エアー噴出部１１ａ〜１１ｚからのエアー噴出量を増量、あるいは減量することで、そのエアー量に応じて増加、あるいは減少した圧力分だけ、空気供給部５０からの空気流による圧力が劣勢、あるいは優勢となる。その結果、液晶パネル１０がセンサ１側より離れるか、あるいは接近することになる。このように、各エアー噴出部１１ａ〜１１ｚからの空気噴出量を調整することによって、センサ電極２０と液晶パネル１０の画素電極１５間の距離ｄが一定となるように、測長部４とエアー制御部１２間でフィードバック制御を行うことで、液晶パネルとセンサとの距離が一定に維持される。
【００４１】
検査の際、液晶パネル１０は、例えば、図１中の矢印方向へ移動される。そして、センサ１によって液晶パネル１０上の画素電極１５を順次、走査することで、その良否を連続して検査する。ステップＳ３０で検査の終了を判断し、全画素の検査が終了していない場合には処理をステップＳ１１に戻して、再度、センサ電極と画素電極間の距離ｄを計測し、上記と同様にエアー噴出制御を継続する。検査が終了した場合には、計測およびエアー制御も終了する。
【００４２】
以上説明したように、検査対象である液晶パネル（ガラス基板）の上部にセンサを固定して、その検査対象をエアフローにより浮上させて非接触検査を行う際、レーザ測長によりセンサと液晶パネル間の距離を計測し、その結果をもとにセンサ側からもエアー噴出を行ってセンサと液晶パネル間のギャップを制御することで、現場での調整が不要になり、それに伴ってセンサの着脱も容易になる。
【００４３】
また、検査対象（ガラス基板）の両面からエアフローを行うことで、センサと検査対象間の間隔制御が容易になるだけでなく、検査対象の走査、検査のための高速動作における追従性が高くなり、しかも液晶パネルの損傷等を容易に回避できる。さらには、センサと検査対象の間隔を最小に制御できるため、センサの感度と分解能が向上し、画素電極の画素電圧を非接触方式で確実に検出することができる。
【００４４】
また、センサのセンサ基板対応に測長部とエアー制御部を設けることで、センサの複数箇所において同時に、あるいは個別にセンサと検査対象の間隔制御ができ、センサ毎にｚ軸を調整する必要がなくなる。
【００４５】
なお、本発明は、上述の実施の形態例に限定されるものではなく、本発明の趣旨を逸脱しない限度において種々の変形が可能である。例えば、センサにおけるレーザ入出力部とエアー噴出部の配置は、図４に示す例に限定されず、図６に示すようにレーザ入出力部を各センサ基板５ａ，５ｂの先端部の両側に設けてよい。
【図面の簡単な説明】
【００４６】
【図１】本発明の実施の形態例に係る検査装置の全体構成を示すブロック図である。
【図２】実施の形態例のセンサを切断したときの断面構成を示す図である。
【図３】検査時における検査対象とセンサの位置制御を説明するための図である。
【図４】センサにおけるレーザ入出力部やエアー噴出部の配置例を示す図である。
【図５】本実施の形態例に係る検査装置における検査対象とセンサ間の距離（ギャップ）の制御手順を示すフローチャートである。
【図６】レーザ入出力部やエアー噴出部の他の配置例を示す図である。
【符号の説明】
【００４７】
１    センサ
２    レーザ入出力部
３    信号処理部
４    測長部
５ａ，５ｂ    センサ基板
６    制御部
７    ＲＯＭ
８    ＲＡＭ
９    表示部
１０    液晶パネル
１１    エアー噴出部
１２    エアー制御部
１３    画素電圧供給部
１５    画素電極
１６    駆動部
１８ａ，１９ａ    レーザ光
２０    センサ電極
２４    基板
３１    センサ回路
３３    スペーサ
５０    空気供給部
【図１】
2006242860.tif 000003
【図２】
2006242860.tif 000004
【図３】
2006242860.tif 000005
【図４】
2006242860.tif 000006
【図５】
2006242860.tif 000007
【図６】
2006242860.tif 000008